(57)【特許請求の範囲】
【請求項１】
コンデンサーマイクロホンユニットと、このコンデンサーマイクロホンユニットを収納するマイクロホンユニット収納部と、コンデンサーマイクロホンユニットで変換された音声信号を外部に出力することができる信号に変換処理する回路基板と、この回路基板を収納する回路基板収納部と、上記回路基板で変換処理された信号を外部に出力するための出力コネクタ部と、を有し、
上記マイクロホンユニット収納部、上記回路基板収納部、上記出力コネクタ部はこの順に配置され、上記マイクロホンユニットは、上記回路基板収納部の上端に固定されている筒状のマイクロホンフレームによって支持され、上記マイクロホンユニット収納部はマイクロホンケースに結合された有底筒状のメッシュで囲まれることにより形成され、上記回路基板はマイクロホンケースによって囲まれて、このマイクロホンケースの内部空間が上記回路基板収納部となっていて、上記出力コネクタ部は、筒状部材で構成されているコンデンサーマイクロホン、であって、
上記マイクロホンフレーム取り付けられた第１のシールド部材と、上記マイクロホンユニット収納部と上記出力コネクタ部との境界に取り付けられた第２のシールド部材とによって上記回路基板収納部の上下端がシールドされ、
上記マイクロホンユニット収納部、上記回路基板収納部、上記出力コネクタ部はそれぞれ独立してシールドされていることを特徴とするコンデンサーマイクロホン。
【請求項２】
マイクロホンフレームは、マイクロホンケースと導電布の介在のもとに結合されている請求項１記載のコンデンサーマイクロホン。
【請求項３】
各シールド部材は導電布からなる請求項１記載のコンデンサーマイクロホン。
【請求項４】
回路基板は、音声回路基板と、直流電圧を昇圧してマイクロホンユニットに成極電圧を供給するためのＤＣ／ＤＣコンバータが組み込まれ上記音声回路基板と一体的に結合されたＤＣ／ＤＣコンバータ回路基板とからなり、
音声回路基板とＤＣ／ＤＣコンバータ回路基板からなる上記回路基板はマイクロホンケースで囲まれた回路基板収納部に収納され、
上記回路基板収納部は、上記音声回路基板の面する側が上記音声回路基板収納部、上記ＤＣ／ＤＣコンバータ回路基板の面する側がＤＣ／ＤＣコンバータ回路基板収納部となっている請求項１記載のコンデンサーマイクロホン。
【請求項５】
ＤＣ／ＤＣコンバータ回路基板には一つの独立したＤＣ／ＤＣコンバータモジュールが組み込まれていて、このコンバータモジュールが独立したシールド部材で囲まれている請求項４記載のコンデンサーマイクロホン。
【請求項６】
出力コネクタ部と音声回路基板とを接続する電路にはフィルターが設けられている請求項１記載のコンデンサーマイクロホン。
【発明の詳細な説明】
【技術分野】
【０００１】
本発明は、コンデンサーマイクロホンに関するもので、特にマイクロホン近傍で携帯電話などが使用されても、その電磁波ノイズの影響を効果的に回避することができるシールド構造に関するものである。
【背景技術】
【０００２】
コンデンサーマイクロホンは、マイクロホンケース内に、コンデンサーマイクロホンユニット、インピーダンス変換器を含む電気回路などを内蔵し、信号を外部に出力するためのコネクタを備えてなる。上記マイクロホンユニットはユニット収納部に収納され、このユニット収納部は、金属メッシュ、この金属メッシュを支える金属部品、マイクロホン本体と結合する金属、コネクタ部など、複数の部品で構成される。
【０００３】
図３は、従来のコンデンサーマイクロホンの例を示す。このコンデンサーマイクロホンは、主としてスタジオ内で使用されるサイドエントリー型と称するマイクロホンである。図３において、マイクロホンは下から順に、コネクタ部１０、コンバータ収納部２０および音声回路基板収納部３０、ユニット収納部４０に大別される。コネクタ部１０は、マイクロホンの土台をなし小径部１２と大径部１３からなる段付き円筒部材１１を有している。この円筒部材１１の小径部１２内には３個の端子ピン１４が円筒部材１１の中心軸線方向に互いに平行に保持されている。このコネクタ部１０は図示されないマイクロホンスタンドのコネクタ部に結合することによってマイクロホンを縦方向の姿勢で保持することができ、あるいはマイクロホンケーブル端に設けられたケーブル側コネクタと結合することができる。
【０００４】
上記円筒部材１１の大径部１３の上端には支持板１５が水平方向の姿勢で固定され、支持板１５の上面中央には、互いに背中合わせにして一体に結合されたＤＣ／ＤＣコンバータ回路基板２１と音声回路基板３１が、対をなす支柱２４，２４に支えられて垂直方向に立ち上がった姿勢で固定されている。支柱２４，２４は上記支持板１５の半径方向外周縁部に位置していて、これらの支柱２４，２４の上端に重ねて、円筒形状のマイクロホンフレーム６０が、その下端のフランジ部６１をネジ止めすることによって固定されている。マイクロホンフレーム６０の上端部には適宜の介在部材を介してショックマウント６２が支持されていて、このショックマウント６２の上にはコンデンサーマイクロホンユニット４１が垂直方向に立ち上がった姿勢で固定されている。コンデンサーマイクロホンユニット４１自体の構成は、従来周知のコンデンサーマイクロホンユニットの構成と同様で、支持枠の内周側に固定された固定極と、この固定極に適切な間隙をおいて対向させて配置された振動板を有してなる。固定極には成極電圧を印加する。音波を受けて上記振動板が振動し、振動板と固定極との間の間隙が変化することによって振動板と固定極との間の静電容量が変化する。この静電容量の変化を電圧の変化として取り出すことによって、音波を電気信号に変換することができる。コンデンサーマイクロホンユニット４１の出力インピーダンスは高いため、低インピーダンスに変換するインピーダンス変換器が組み込まれている。図３に示す例では、ショックマウント６２の下面側に、インピーダンス変換器の主体をなすＦＥＴ６３が組み込まれ、インピーダンス変換された信号が音声回路基板３１に入力されるようになっている。
【０００５】
上記円筒部材１１の大径部１３の外周には円筒形のマイクロホンケース５０の下端内周部が嵌められ、適宜の結合手段で両者が結合されている。マイクロホンケース５０の上端近くの内周側には内向きのフランジ５１が形成され、この内向きのフランジ５１がマイクロホンフレーム６０の下端のフランジ部６１に上側から当たることによってマイクロホンケース５０の上下方向の位置が規制されている。マイクロホンケース５０によってＤＣ／ＤＣコンバータ回路基板２１と音声回路基板３１が囲まれている。言い換えると、マイクロホンケース５０の円筒形の内部空間が、背中合わせにして結合されたＤＣ／ＤＣコンバータ回路基板２１と音声回路基板３１でほぼ均等に二分されている。マイクロホンケース５０の内部空間のうちＤＣ／ＤＣコンバータ回路基板２１側の空間はコンバータ収納部２０、音声回路基板３０側の空間は音声回路基板収納部３０となっている。
【０００６】
マイクロホンケース５０の上端部内周側にはメッシュ５５の下端部外周が嵌められ、溶着など適宜の手段で互いに結合されている。メッシュ５５は二つのメッシュが腹合わせ状に結合されることによって有底の筒型になっていて、筒の開放端部を下にして上記のようにマイクロホンケース５０に結合されている。結合された二つのメッシュ５５、５５で囲まれた空間がユニット収納部４０を構成していて、このユニット収納部４０にマイクロホンユニット４１が位置し、マイクロホンユニット４１が二つのメッシュ５５、５５で覆われている。二つのメッシュ５５、５５の結合線に沿ってバンド５６が配置され、バンド５６が二つのメッシュ５５、５５に溶着などの手段によって結合されることにより、二つのメッシュ５５、５５の結合強度を高め、また、美観を高めている。
【０００７】
以上説明したようなサイドエントリー型コンデンサーマイクロホンに限らず、他の形式のコンデンサーマイクロホンにおいても、外部からの高周波の電磁波が進入することを遮断し、電磁波の進入を原因とする雑音の発生を防止するようになっている。例えば、マイクロホンケース、メッシュ、メッシュを支える金属部品、マイクロホン本体と結合する金属部品などは、半田付け、ロウ付け、接着などによって互いに結合されるとともに、各接合部は複数点で電気的導通が図られてシールドが図られている。しかし、各接合部を複数点で電気的に導通させても、シールドは不完全なものになりやすい。特に、各部品相互を接着材によって接着し複数点で電気的導通を図るものにおいては、電気的には点接触となるため、シールドが不完全なものになりやすい。
【０００８】
本出願人は、コネクタ部からマイクロホン内部へ電磁波が侵入するのを確実に防止するために、マイクグリップの後端部に接続される電気絶縁体からなる基台を備え、この基台の少なくとも上面と下面とを、各信号ピンとは非導通で、接地ピンとは導通している静電シールド部材で覆う構成を提案した（例えば、特許文献１参照）。
【０００９】
また、コンデンサーマイクロホンと支持体と回路基板ブロックとをカシメ加工により一体に保持するシールドケースとを備え、回路基板ブロックはシールドケースに電気的導通をもって保持されるグランドパターン部を備えたコンデンサーマイクロホンユニットの実装構造が提案されている（例えば、特許文献２参照）。さらに、一端側に回路基板ブロックを支持するとともに他方側に静電容量の変化として音圧を検出するコンデンサーマイクロホンを支持する支持体と、コンデンサーマイクロホンと支持体と回路基板ブロックとを一体にカシメ加工により保持するシールドケースとを備え、シールドケース外側面に導電テープを貼着するとともに、導電テープの一部分をグランドパターンに固着したコンデンサーマイクロホンユニットの実装構造が提案されている（例えば、特許文献３参照）。
【００１０】
【特許文献１】特開２００５−９４５７５号公報
【特許文献２】特開平１１−１５５１９８号公報
【特許文献３】特開平１１−１５５１９７号公報
【００１１】
特許文献１記載の発明は、コネクタ部からマイクロホン内部へ電磁波が侵入することを防止するシールド構造に関するものである。特許文献２および３記載の発明は、マイクロホン全体をシールドケースで覆うことによってシールドを図るものである。
上記各特許文献記載の発明によれば、従来想定されていた外部からの電磁波のシールド構造としては有効に機能する。例えば、放送で用いられているＶＨＦ，ＵＨＦなどの電磁波による干渉は、上記各特許文献で提案されているシールド構造で十分に対応することが可能である。
【００１２】
しかし、上記各特許文献記載の発明に限らず、従来のコンデンサーマイクロホンにおけるシールド構造では、近年、急速に普及した携帯電話に対する対策としては不十分である。近年のように、どこでも気軽に携帯電話が使用される状況の下では、コンデンサーマイクロホンの近くで携帯電話が使用されることが頻繁に生じる。携帯電話で使用されている電磁波の周波数はＶＨＦ，ＵＨＦなどよりも周波数が高い。この高い周波数の電磁波を発する携帯電話がコンデンサーマイクロホンの近く置かれると、従来のシールド構造を有するコンデンサーマイクロホンでは、携帯電話から発せられる電磁波の侵入を遮断することはできない。
【００１３】
図３では、高い周波数の電磁波の侵入経路を矢印で示している。矢印Ａはコネクタ部１０から侵入しようとする電磁波を示す。コネクタ部１０から侵入した電磁波は、矢印Ｂで示すように音声回路基板３１に侵入し、音声信号に雑音として混入することになる。
前記ＤＣ／ＤＣコンバータ回路基板２１は、直流電源を１ＭＨｚ程度の交流に変換し、これを昇圧した後整流して直流に変換し、この直流電圧を固定極に成極電圧として印加するものである。したがって、ＤＣ／ＤＣコンバータ回路基板２１からも１ＭＨｚ程度の交流信号が発生し、この交流信号が矢印Ｃで示すように音声回路基板３１に回り込んで電磁結合によって侵入する。また、上記交流信号が矢印Ｄで示すように前記ＦＥＴ６３およびマイクロホンユニット４１にも侵入し、マイクロホンの音声信号に電磁結合によって侵入する。上記交流信号が大きい場合は、音声信号とともに上記交流信号がマイクロホンから出力される。この交流信号は、マイクロホンが接続されている機器、例えばミキサーにおいて雑音の原因となるなどの不具合を発生させる。マイクロホンの出力コネクタ部には、マイクロホンケーブル側から侵入する高周波電流を阻止するためにフィルターが設けられる。このフィルターを構成する素子が音声信号回路と共通のシールド内にある場合、信号回路の部品配置によっては上記交流信号が音声信号回路と電磁結合し、ケーブルから侵入する上記高周波電流が雑音の原因となる。
また、携帯電話などから発せられる高い周波数の電磁波が、図３に矢印Ｅで示すように、メッシュ５５を通してユニット収納部４０に侵入する。マイクロホンユニット４１自体が電磁波の影響を受けることは少ないが、上記電磁波はユニット収納部４０を通って音声回路基板３１に侵入し、音声信号の雑音の原因となる。
【発明の開示】
【発明が解決しようとする課題】
【００１４】
本発明は、このようなコンデンサーマイクロホンの従来のシールド構造では解消することができない新たな問題点に鑑みてなされたもので、携帯電話など高い周波数の電磁波を発する機器が近傍で使用されたとしても、高い周波数の、かつ、強い電磁波を効果的に遮蔽して、雑音の原因となることを効果的に防止することができるコンデンサーマイクロホンを提供することを目的とする。
【課題を解決するための手段】
【００１５】
本発明は、コンデンサーマイクロホンユニットと、このコンデンサーマイクロホンユニットを収納するマイクロホンユニット収納部と、コンデンサーマイクロホンユニットで変換された音声信号を外部に出力することができる信号に変換処理する回路基板と、この回路基板を収納する回路基板収納部と、上記回路基板で変換処理された信号を外部に出力するための出力コネクタ部と、を有し、マイクロホンユニット収納部、回路基板収納部、出力コネクタ部はこの順に配置され、マイクロホンユニットは、回路基板収納部の上端に固定されている筒状のマイクロホンフレームによって支持され、マイクロホンユニット収納部はマイクロホンケースに結合された有底筒状のメッシュで囲まれることにより形成され、回路基板はマイクロホンケースによって囲まれて、このマイクロホンケースの内部空間が回路基板収納部となっていて、出力コネクタ部は、筒状部材で構成されているコンデンサーマイクロホン、であって、マイクロホンフレーム取り付けられた第１のシールド部材と、マイクロホンユニット収納部と出力コネクタ部との境界に取り付けられた第２のシールド部材とによって回路基板収納部の上下端がシールドされ、マイクロホンユニット収納部、回路基板収納部、出力コネクタ部はそれぞれ独立してシールドされていることを最も主要な特徴とする。
【００１６】
上記回路基板は、音声回路基板と、直流電圧を昇圧してマイクロホンユニットに成極電圧を供給するためのＤＣ／ＤＣコンバータが組み込まれ上記音声回路基板と一体的に結合されたＤＣ／ＤＣコンバータ回路基板で構成し、音声回路基板とＤＣ／ＤＣコンバータ回路基板からなる上記回路基板はマイクロホンケースで囲まれた回路基板収納部に収納し、上記回路基板収納部は、音声回路基板の面する側を音声回路基板収納部、ＤＣ／ＤＣコンバータ回路基板の面する側をＤＣ／ＤＣコンバータ回路基板収納部にするとよい。このＤＣ／ＤＣコンバータ回路基板収納部はこれを独立したシールド部材で囲むとさらによい。
各シールド部材は、これを導電布にするとよい。
【発明の効果】
【００１７】
マイクロホンユニット収納部、回路基板収納部、出力コネクタ部を、それぞれ独立してシールドしているため、高い周波数の電磁波源がマイクロホンの近傍に存在していて高い周波数の電磁波がマイクロホンに侵入しようとしても、この電磁波が、マイクロホンユニット収納部を経て回路基板収納部に侵入することが阻止され、また、コネクタ部を経て回路基板収納部に侵入することがシールドによって阻止され、電磁波を原因とする雑音が音声信号に混入することを効果的に回避することができる。
【００１８】
直流電圧を昇圧してマイクロホンユニットに成極電圧を供給するためのＤＣ／ＤＣコンバータが組み込まれたＤＣ／ＤＣコンバータ回路基板を有するものにおいて、このＤＣ／ＤＣコンバータ回路基板を音声回路基板と一体化して回路基板収納部に収納することにより、ＤＣ／ＤＣコンバータが発する交流の発振信号が外部回路に漏れることを防止して、音声信号に雑音が混入することを防止することができる。さらに、ＤＣ／ＤＣコンバータ回路基板収納部を独立したシールド部材で囲むと、ＤＣ／ＤＣコンバータの上記交流の発振信号が音声回路基板に回り込むことを防止することができ、音声信号に雑音が混入することを一層効果的に防止することができる。
【発明を実施するための最良の形態】
【００１９】
以下、本発明にかかるコンデンサーマイクロホンの実施例を、図を参照しながら説明する。なお、図示の実施例はサイドエントリー型のコンデンサーマイクロホンの例になっているが、本発明の技術思想は、サイドエントリー型に限らず、他の形式のコンデンサーマイクロホンにも適用することができる。図３に示すコンデンサーマイクロホンの従来例の構成と同じ構成部分には共通の符号を付してある。
【００２０】
この実施例にかかるコンデンサーマイクロホンは、図１、図２において下から順に、コネクタ部１０、ＤＣ／ＤＣコンバータ収納部２０および音声回路基板収納部３０、ユニット収納部４０に大別される。コネクタ部１０は、マイクロホンの土台をなす円筒部材１１を有してなり、円筒部材１１は下側の小径部１２と上側の大径部１３からなる段付きの部材となっている。この円筒部材１１の小径部１２内には３個の端子ピン１４が円筒部材１１の中心軸線方向に互いに平行に保持されている。このコネクタ部１０は図示されないマイクロホンスタンドのコネクタ部に結合することによってマイクロホンを縦方向の姿勢で保持することができ、あるいはマイクロホンケーブル端に設けられたケーブル側コネクタと結合することができる。
【００２１】
上記円筒部材１１の大径部１３の上端には支持板１５が水平方向の姿勢で載せられ、適宜の固定手段で円筒部材１１に固定されている。支持板１５の上面中央には、互いに背中合わせにして一体に結合されたＤＣ／ＤＣコンバータ回路基板２１と音声回路基板３１が、対をなす支柱２４，２４に支えられて垂直方向に立ち上がった姿勢で固定されている。支柱２４，２４は上記支持板１５の半径方向外周縁部に位置していて、これらの支柱２４，２４の上端に円筒形状のマイクロホンフレーム６０が重ねられ、マイクロホンフレーム６０の下端のフランジ部６１を支柱２４，２４にネジ止めすることによってマイクロホンフレーム６０が固定されている。マイクロホンフレーム６０の上端部には適宜の介在部材を介してショックマウント６２が支持されていて、このショックマウント６２の上にはコンデンサーマイクロホンユニット４１が垂直方向に立ち上がった姿勢で固定されている。
【００２２】
コンデンサーマイクロホンユニット４１自体の構成は、従来周知のコンデンサーマイクロホンユニットの構成と同様で、支持枠の内周側に固定された固定極と、この固定極に適切な間隙をおいて対向させて配置された振動板を有してなる。固定極には成極電圧を印加する。音波を受けて上記振動板が振動し、振動板と固定極との間の間隙が変化することによって振動板と固定極との間の静電容量が変化し、この静電容量の変化を電圧の変化として取り出すことによって、音波を電気信号に変換することができる。コンデンサーマイクロホンユニット４１の出力インピーダンスは高いため、低インピーダンスに変換するインピーダンス変換器が組み込まれている。図示の実施例では、ショックマウント６２の下面側に、インピーダンス変換器の主体をなすＦＥＴ６３が組み込まれ、インピーダンス変換された信号が音声回路基板３１に入力されるようになっている。この実施例にかかるマイクロホンは、二つのユニットを背中合わせ状に結合したマイクロホンユニット４１が垂直方向に立ち上がっていて、水平方向両方向からの音波を電気信号に変換することができるようにしたサイドエントリー型のコンデンサーマイクロホンである。
【００２３】
上記円筒部材１１の大径部１３の外周には円筒形のマイクロホンケース５０の下端内周部が嵌められ、適宜の結合手段で両者が結合されている。マイクロホンケース５０の上端近くの内周側には内向きのフランジ５１が形成され、この内向きのフランジ５１がマイクロホンフレーム６０の下端のフランジ部６１に上側から当たることによってマイクロホンケース５０の上下方向の位置が規制されている。マイクロホンケース５０によってＤＣ／ＤＣコンバータ回路基板２１と音声回路基板３１が囲まれている。言い換えると、マイクロホンケース５０の円筒形の内部空間は回路基板収納部となっていて、この回路基板収納部が、背中合わせにして結合されたＤＣ／ＤＣコンバータ回路基板２１と音声回路基板３１でほぼ均等に二分されている。マイクロホンケース５０の内部空間である上記回路基板収納部のうち、ＤＣ／ＤＣコンバータ回路基板２１側の空間はＤＣ／ＤＣコンバータ回路基板収納部２０、音声回路基板３１側の空間は音声回路基板収納部３０となっている。
【００２４】
マイクロホンケース５０の上端部内周側にはメッシュ５５の下端部外周が嵌められ、溶着など適宜の手段で互いに結合されている。メッシュ５５は二つのメッシュが腹合わせ状に結合されることによって有底の筒型になっていて、筒の開放端部を下にして上記のようにマイクロホンケース５０に結合されている。結合された二つのメッシュ５５、５５で囲まれた空間がユニット収納部４０を構成していて、このユニット収納部４０にマイクロホンユニット４１が位置し、マイクロホンユニット４１が二つのメッシュ５５、５５で覆われている。二つのメッシュ５５、５５の結合線に沿ってバンド５６が配置され、バンド５６が二つのメッシュ５５、５５に溶着などの手段によって結合されることにより、二つのメッシュ５５、５５の結合強度を高め、また、美観を高めている。
【００２５】
この実施例は、図３に示す従来のコンデンサーマイクロホンの例と比較して、以下の点において構成上の特徴を有している。最も大きな特徴は、マイクロホンユニット収納部４０、回路基板収納部、出力コネクタ部１０が、それぞれ独立してシールドされていることである。このシールド構造をより具体的に説明すると、出力コネクタ部１０を構成する前記円筒部材１１の小径部１２と大径部１１の境界部内周に導電布からなる第２のシールド部材７１が配置され、前記マイクロホンフレーム６０の内周に導電布からなる第１のシールド部材７２が配置されていることである。上記一つの第２のシールド部材７１は、ＤＣ／ＤＣコンバータ回路基板２１と音声回路基板３０からなる回路基板の収納部と、コネクタ部１０とを電磁的に遮断し、もう一つの第１のシールド部材７２は、上記回路基板収納部と、マイクロホンユニット収納部４０とを電磁的に遮断している。したがって、上記回路基板収納部の上下端が各シールド部材７１，７２でシールドされている。上記回路基板収納部はさらにその外周側が金属製のマイクロホンケース５０で覆われてシールドされている。コネクタ部１０はその外周側が金属製の円筒部材１１の小径部１２で覆われてシールドされている。ユニット収納部４０は有底円筒状の金属製メッシュ５５で覆われてシールドされている。コネクタ部１０と上記回路基板収納部内の回路基板を結ぶワイヤは絶縁被覆ワイヤからなり、この絶縁被覆ワイヤが第２のシールド部材７１を貫通している。上記回路基板とマイクロホンユニット４１を結ぶワイヤも絶縁被覆ワイヤからなり、この絶縁被覆ワイヤが第１のシールド部材７２を貫通している。
【００２６】
メッシュ５５、マイクロホンフレーム６０、マイクロホンケース５０、円筒部材１１は相互に電気的に導通し、前記３個の端子ピン１４のうちの一つであるアース端子に電気的に導通している。円筒形のマイクロホンフレーム６０とマイクロホンケース５０との結合部には導電布をリング状に打ち抜いた導電体７３が介在し、導電体７３の介在のもとにマイクロホンフレーム６０とマイクロホンケース５０とが結合されている。導電布からなる導電体７３は弾力性を有しているので、マイクロホンフレーム６０とマイクロホンケース５０が結合されることによって導電体７３がその弾力性によって押しつぶされ、マイクロホンフレーム６０とマイクロホンケース５０をほぼ全周にわたって確実に導通させ、マイクロホンの外周側からの電磁波遮蔽効果を高めている。
【００２７】
前述のように、ＤＣ／ＤＣコンバータ回路基板２１自体も１ＭＨｚ程度の電磁波の発生源であり、この電磁波が音声回路基板３１に回り込んで、音声信号の雑音の原因となりやすい。そこで、この実施例では、ＤＣ／ＤＣコンバータ回路基板２１に一つの独立したＤＣ／ＤＣコンバータモジュールを組み込み、このコンバータモジュールを独立したシールド部材７４で囲んでいる。シールド部材７４は、導電布をプレスなどで成形して製作してもかまわないが、導電布を箱型に成形することは難しいので、導電性の板、例えば金属板を箱型に形成してもよい。
【００２８】
導電布は各種タイプのものがいろいろなメーカーから供給されていて、適宜のものを選択して採用することができるが、この実施例では、例えば、太陽金網株式会社製の導電布ＳＵＩ−７８−５０１０Ｔを使用した。また、この実施例では、導電布が何層にも重ねられてある程度の厚みを有するものを使用するのが望ましい。
【００２９】
各シールド部材７１，７２，７３，７４によるシールドのほかに、コネクタ部１０と音声回路基板３１とを接続する電路にはフィルター７５が設けられている。フィルター７５は回路基板に構成されていて、この回路基板が円筒部材１１の小径部１２内においてコネクタ部から第２のシールド部材７１の方に向かい、第２のシールド部材７１の手前まで伸びている。フィルター７５は、電磁波が音声回路基板３１に侵入することによって雑音となる周波数帯域の信号を音声信号回路からバイパスさせて雑音を除去する。
【００３０】
以上説明した本発明にかかるコンデンサーマイクロホンの実施例によれば、マイクロホンユニット収納部４０、回路基板収納部、出力コネクタ部１１が、それぞれ独立してシールドされているため、図１（ａ）に矢印Ｅで示すように、外部からメッシュ５５を通り抜けて高い周波数の電磁波がマイクロホンユニット収納部４０内に侵入したとしても、マイクロホンユニット収納部４０から回路基板収納部への電磁波の侵入が第１のシールド部材７２で遮断され、回路基板収納部に電磁波が進入することを原因とする雑音の発生を防止することができる。また、コネクタ部１０に電磁波が侵入しても、コネクタ部１０から回路基板収納部への電磁波の侵入が第２のシールド部材７１によって遮断され、回路基板収納部に電磁波が進入することを原因とする雑音の発生を防止することができる。このように、外部からの電磁波の侵入による雑音の発生を効果的に防止することができ、特に、マイクロホンの近傍で例えば携帯電話が使用されているとしても、携帯電話からの周波数の高い強い電波が回路基板に侵入することを防止することができる。
【００３１】
図示の実施例では、マイクロホンユニット収納部４０、回路基板収納部、出力コネクタ部１１をそれぞれ独立してシールドする部材は、導電布からなる。導電布は取り付けが容易であり、複数層になるように重ねることによってシールド効果を高めることも容易である。
【００３２】
図示の実施例では、回路基板収納部に、音声回路基板３１とともに、直流電源から成極電圧を得るためのＤＣ／ＤＣコンバータ回路基板２１を有するものにおいて、ＤＣ／ＤＣコンバータ回路基板２１には一つの独立したＤＣ／ＤＣコンバータモジュールを組み込み、このコンバータモジュールを独立したシールド部材７４で囲んでいる。ＤＣ／ＤＣコンバータモジュール自体が交流の発振器を持っていて電磁波源となるため、音声回路基板３１の雑音源となりやすいが、図示の実施例ではＤＣ／ＤＣコンバータモジュールを独立したシールド部材７４で囲んでいるため、ＤＣ／ＤＣコンバータモジュールから電磁波が外部に漏れることがなく、音声回路基板３１の雑音源となることが回避される。
【００３３】
出力コネクタ部１０内には、この出力コネクタ部１０と音声回路基板３１とをつなぐ電路にフィルター７５が設けられているため、音声回路に雑音が混入したとしても、フィルター７５で雑音を除去して、出力コネクタ部１０から音声信号を出力することができる。
【産業上の利用可能性】
【００３４】
本発明は、図示の実施例のようなサイドエントリー型コンデンサーマイクロホンに限らず、他の形式のコンデンサーマイクロホンにも適用可能である。
【図面の簡単な説明】
【００３５】
【図１】本発明にかかるコンデンサーマイクロホンの実施例を示すもので、（ａ）は正面断面図、（ｂ）は側面断面図である。
【図２】は上記実施例を分解して示すもので、（ａ）は正面断面図、（ｂ）は側面断面図である
【図３】従来のコンデンサーマイクロホンの実施例を示すもので、（ａ）は正面断面図、（ｂ）は側面断面図である。
【符号の説明】
【００３６】
１０    コネクタ部
２０    コンバータ収納部
２１    ＤＣ／ＤＣコンバータ回路基板
３０    音声回路基板収納部
３１    音声回路基板
４０    マイクロホンユニット収納部
４１    マイクロホンユニット
５０    マイクロホンケース
７１    第２のシールド部材
７２    第１のシールド部材
７４    シールド部材
７５    フィルター
【図１】
0004716818.tif 000002
【図２】
0004716818.tif 000003
【図３】
0004716818.tif 000004